(57)【特許請求の範囲】
【請求項１】
左右縦枠と上下枠とにより枠組みされ、そのうちの一の枠をネット収納枠として、それにコイルスプリングの弾力で巻取軸が回転するネットの巻取装置を内装し、ネット収納枠の端面キャップにコイルスプリングの調整装置を内装した網戸、網窓等において、前記端面キャップには、巻取軸の回転の中心軸上の中心歯車と、それと噛合する脇歯車とを内装し、脇歯車に調整摘みとしてラチェット車を一体形成してあり、解除レバーには、そのラチェットに引っ掛かるラチェットを突設し、両ラチェットを、コイルスプリングの弾発力を強める回転方向に逃げ角に形成し、さらに、端面キャップには、ラチェットの引っ掛かりを保持するように解除レバーを押さえるスプリングを内装したことを特徴とする網戸、網窓等におけるネット調整装置。
【発明の詳細な説明】
【０００１】
【産業上の利用分野】
この発明は、ネットを自動的に巻き戻して開くようにした網戸、網窓等におけるネット調整装置に関する。
【０００２】
【従来の技術】
従来のこの種網戸は、網戸枠の一側の縦枠をネット収納枠として、実施例の図面に示すように、その中に、ネット５の巻取装置７として、巻取軸２７、自動的に巻く力を蓄えるコイルスプリング２２、巻取軸２７に対してコイルスプリング２２に回転弾発力を付与する中心軸２６等が内装される。また、ネット５の先には可動框９が取り付けられ、可動框９が他方の縦枠２にコイルスプリング２２の弾発力に抗して止められるようになっている。しかし、ネット５の張りに過不足が生じることがあり、その調整が必要である。
【０００３】
また、可動框９を縦枠２から離すと、コイルスプリング２２の力により自動的にネット５が巻き戻される。このネットの巻取りは、コイルスプリングの力により全幅がなされることが望ましい。つまり、可動框の掛止を解くと、コイルスプリングの戻りにより一挙にネットが全部収納されると好都合であるが、未収納の残りが生じることがあり、この場合は、手動で戻すか、戻るように調整する必要がある。
【０００４】
いずれにしても、未収納の残りを巻いて縦枠に納めるために、従来は、図７に示すように、その縦枠５０の上端に、コイルスプリングの調整摘み５４が設けられていたが、縦枠５０の上端の端面キャップ５６の中央にその調整摘み５４が回転可能に露出していたので、回転操作することは非常に困難であった。
【０００５】
また、縦枠５０は、内外部材５０ａ，５０ｂとの組合せであって、その組合せがタップにより螺入されるビス５７で前記端面キャップ５６を固定することによって、付随的に保持されており、そのため、巻取装置の故障があったり、調整摘み５４では調整できない調整の必要があって、縦枠５０の中を開くようなときも作業が非常に困難であった。
【０００６】
【発明が解決しようとする課題】
この発明は、上記のような実情に鑑みて、ネットの全部が均等に張られたり、全部が収納されるよう調整しやすい網戸、網窓等におけるネット調整装置を提供することを目的とした。
【０００７】
【課題を解決するための手段】
上記の目的を達成するために、この発明は、左右縦枠と上下枠とにより枠組みされ、そのうちの一の枠をネット収納枠として、それにコイルスプリングの弾力で巻取軸が回転するネットの巻取装置を内装し、ネット収納枠の端面キャップにコイルスプリングの調整装置を内装した網戸、網窓等において、前記端面キャップには、巻取軸の回転の中心軸上の中心歯車と、それと噛合する脇歯車とを内装し、脇歯車に調整摘みとしてラチェット車を一体形成してあり、解除レバーには、そのラチェットに引っ掛かるラチェットを突設し、両ラチェットを、コイルスプリングの弾発力を強める回転方向に逃げ角に形成し、さらに、端面キャップには、ラチェットの引っ掛かりを保持するように解除レバーを押さえるスプリングを内装したことを特徴とする網戸、網窓等におけるネット調整装置を構成した。
【０００８】
上記の構成によれば、ネットを閉じた状態において緊張に不足があるために、強めるときには、調整摘みを回し、弱めるときには解除レバーを操作する。
【０００９】
また、ネットをコイルスプリングの弾発力で巻き戻した結果、未収納の残りがあると、それを巻き戻すには、調整摘みを回してコイルスプリングを介して巻取軸を回転させる。また、コイルスプリングの弾発力を喪失させるには、解除レバーを操作する。このような操作のための調整摘みや解除レバーが前面に露出しているので、操作しやすい。
【００１０】
【発明の実施の形態】
この発明の対象としては、建具としての網戸や網窓ばかりでなく、例えば、物品を入れるケース等の網窓にも実施される。
【００１１】
また、ネット５を自動的に巻き戻すために、コイルスプリング２２が用いられるが、ネット５の巻き戻しが可能であれば、ゼンマイバネ等を用いてもこの発明の趣旨に反しないものとする。
【００１２】
【発明の効果】
以上説明したように、この発明によれば、コイルスプリングの弾力により自動的にネットを巻き戻して開くようにした網戸、網窓等において、調整摘みと解除レバーが室内側に露出して操作しやすいので、ネットの全部が均等に張られたり、全部が収納されるよう調整が容易となるという優れた効果がある。殊に、調整摘みがラチェット車であるので、調整操作がさらに容易である。
【００１３】
【実施例】
次に、この発明の実施例を図面に基づいて説明する。
【００１４】
図面は、防虫網戸として実施した一例を示し、その防虫網戸は、窓に固定して取り付けるために防虫網窓とも言えるもので、一方の縦枠がネット収納枠１であって、ネット収納枠１と他方の縦枠２と、上下枠３，４により枠組みされ、ネット収納枠１にネット５の巻取装置７が装備される。また、ネット５の先端に可動框９を接続し、その可動框９に上下磁石１１，１１を取り付け、縦枠２にそれに吸着される金属の磁石受け１３，１３が取り付けてある。
【００１５】
ネット収納枠１は、枠本体１５と開閉カバー１７との組合せからなるもので、それぞれを断面Ｌ字形に形成し、枠本体１５については、内角と両端にビスポケット１９，１９，１９を設け、そのうちの一端のビスポケット１９を軸として開閉カバー１７が開閉可能に軸支され、両部材１５，１７の間にネット５の収納口２１が設けられる。
【００１６】
巻取装置７は、その主要部がネット収納枠１の中に内装され、その上端にコイルスプリング２２の調整機能を有する、脇歯車３９と、ラチェットが周囲に配列されるラチェット車からなる調整摘み２３と、コイルスプリング２２の弾力を解放する解除レバー２５を備えた調整装置１０が設けられる。主要部については、上下中心軸２６，２６に筒形の巻取軸２７を軸承し、その軸承には、上下軸受２９，２９が巻取軸２７に嵌合して固着される。
【００１７】
コイルスプリング２２は、上端の中心軸２６に被着され、下端に引掛り３０を設けてその下端を下の軸受２９に掛止し、上端を中心軸２６に止具２８で固着してある。そこで、ネット５を開く矢印Ｐａ方向へ可動框９を移動させ、ネット５を巻き戻すと、コイルスプリング２２に弾力が蓄積され、ネット５を巻き取る矢印Ｐｂ回転方向へ徐々に付勢される。そして、可動框９が縦枠２に磁石１１，１１で吸着されている間、弾力が保有されているので、調整摘み２３の脇歯車３９によりネット５の張りを緊張させ、解除レバー２５により弛めるというように、いずれにも適度に調整できる。なお、調整摘み２３はそのラチェット４１が前面に露出しているので、それに指を掛けて操作する。
【００１８】
ネット収納枠１の枠本体１５の上端にビス３１，３１，３１によって端面キャップ３３が止められ、それが上枠３の中に嵌入される連結片３５を有する上部片３３ａと、それに重なる下部片３３ｂとからなり、その間の中空に調整装置１０が装備される。
【００１９】
調整装置１０は、中心軸２６が接続される中心歯車３７に脇歯車３９が噛合したもので、脇歯車３９にラチェット車である調整摘み２３が一体に成形されている。そこで、調整摘み２３を矢印Ｐｃ方向へ回すと、中心歯車３７、中心軸２６、コイルスプリング２２を介して巻取軸２７がネット５を巻き取る矢印Ｐｂ方向へ回転する。または、コイルスプリング２２にその力が蓄えられる。
【００２０】
調整摘み２３は、ラチェット歯車であって、外周にラチェット４１を配設したもので、コイルスプリング２２にこのように蓄えた力を保存する手段として、調整摘み２３のラチェット４１に引っ掛かるラチェット４３が解除レバー２５に突設され、ラチェット４１，４３が回転方向Ｐｃへ逃げ角となっている。また、引っ掛かりを止めるために、ピンスプリング４５がその引っ掛かり方向へ押さえている。
【００２１】
上部片３３ａには解除レバー２５の回転軸４７が突設されており、解除レバー２５が「く」字形に屈折して先端が調整摘み２３とともにその横で室内側に露出している。そこで、解除レバー２５の先端を矢印Ｐｅ方向へ操作すると、調整摘み２３の止めが解除されて、コイルスプリング２２が戻り、弾発力を喪失するので、解除レバー２５を復帰させることにより、弾発力を適度の段階で調整できる。なお、ネット５を仕舞った状態では、弾発力の全部を喪失させることによって、コイルスプリング２２の弾性を保存することができる。
【００２２】
ネット５の開閉の構造については、上下枠３，４にガイドレール４９，４９が組み込まれており、可動框９の上下両端にガイドレール４９，４９と係合するスライダー４７，４７が取り付けられる他、ネット５の上下両端のテープにガイドレール４９，４９と係合するスライド虫５１，５１，・・が列設される。
【図面の簡単な説明】
【図１】この発明に係る網戸の分解斜視図である。
【図２】同網戸におけるネット収納枠上端の端面キャップを一部切欠してこの発明の要部を示す平面図である。
【図３】同ネット収納枠の上端部を室内側から見た断面図である。
【図４】図３のＡ−Ａ線矢視の断面図である。
【図５】図４のＢ−Ｂ線矢視の断面図である。
【図６】ネットを閉じた状態を図１のＣ−Ｃ線矢視位置において示す断面図である。
【図７】従来例の説明図である。
【符号の説明】
１  ネット収納枠
２  縦枠
３，４  上下枠
５  ネット
７  巻取装置
１０  調整装置
１５  枠本体
１７  開閉カバー
２２  コイルスプリング
２３  調整摘み
２５  解除レバー
２６  中心軸
２７  巻取軸
３３  端面キャップ
３７  中心歯車
３９  脇歯車
４１，４３，  ラチェット
Ｐｂ，Ｐｃ  コイルスプリングの弾発力を強める回転方向
４５  スプリング
【図１】
0003617648.tif 000002
【図２】
0003617648.tif 000003
【図３】
0003617648.tif 000004
【図４】
0003617648.tif 000005
【図５】
0003617648.tif 000006
【図６】
0003617648.tif 000007
【図７】
0003617648.tif 000008